(57)【要約】【課題】実装ケースと電気光学装置との相対的な位置関係がずれてしまうことを低減する。【解決手段】実装ケースは、基板（１０）上に複数の画素を備えた電気光学装置（５００）を収容するための電気光学装置用実装ケースであって、プレート本体部（６１１）及び該プレート本体部における基板の一辺及びこの一辺に対向する他辺の各々に対応する位置に設けられた第１係合部（６１２）を有するプレート（６１０）と、プレート本体部及び電気光学装置を覆うカバー本体部（７１１）及び該カバー本体部に設けられた第２係合部（７１２）を有するカバー（７１０）とを備える。更に、第１係合部は、当該第１係合部の一部分を、前記一辺に沿った第１方向（Ｙ方向）に沿って第２係合部に対して押し当てることにより、プレートのカバーに対する位置決めを行う位置決め手段（２２０、２１１、３３０、３１１ａ）を有する。【選択図】図６
2008122822.tif 000002
【特許請求の範囲】
【請求項１】
基板上の画素領域に複数の画素を備えた電気光学装置を収容するための電気光学装置用実装ケースであって、
前記電気光学装置の一面に対向するように配置されるプレート本体部、及び該プレート本体部における前記基板の一辺及び該一辺に対向する他辺の各々に対応する位置に設けられた第１係合部を有するプレートと、
前記プレート本体部及び前記電気光学装置を覆うように配置されるカバー本体部、及び該カバー本体部に設けられ前記第１係合部に係合可能な第２係合部を有するカバーと
を備え、
前記第１係合部は、当該第１係合部の少なくとも一部分を、前記一辺に沿った第１方向に沿って前記第２係合部に対して押し当てることにより、前記プレートの前記カバーに対する位置決めを行う位置決め手段を有する
ことを特徴とする電気光学装置用実装ケース。
【請求項２】
前記プレート本体部は、前記画素領域に対応して開口された第１開口部を有し、
前記カバー本体部は、前記画素領域に対応して開口された第２開口部を有する
ことを特徴とする請求項１に記載の電気光学装置用実装ケース。
【請求項３】
前記第２係合部は、前記カバー本体部における前記電気光学装置の側縁を取り囲む側部に設けられると共に、該側部の外面側から見て突出する凸部と、前記凸部より前記側部の外面側から見て窪んだ凹部とからなる凹凸部として形成されており、
前記第１係合部は、前記凹部の少なくとも一部に嵌合されると共に前記凸部の少なくとも一部に引っ掛けられるフック部を有する
ことを特徴とする請求項１又は２に記載の電気光学装置用実装ケース。
【請求項４】
前記位置決め手段は、前記フック部を、前記第１方向における一方の側に向かって、前記凸部の一部分に対して押し当てることを特徴とする請求項３に記載の電気光学装置用実装ケース。
【請求項５】
前記フック部は、前記第１方向に沿って並んで配置される第１及び第２フック部分を含み、
前記位置決め手段は、前記第１フック部分を、前記第１方向における前記第２フック部分が位置する側とは異なる側に向かって、前記凸部の一部としての第１凸部分に対して押し当てると共に、前記第２フック部分を、前記第１方向における前記第１フック部分が位置する側とは異なる側に向かって、前記凸部分の他の一部としての第２凸部分に対して押し当てる
ことを特徴とする請求項３に記載の電気光学装置用実装ケース。
【請求項６】
前記第１凸部分は、前記第１フック部分が押し当てられる第１凸部分本体と、該第１凸部分本体よりも前記プレート本体部側に形成されると共に前記第１方向に沿って前記第２凸部分側に向かって延びる第１延在部分を有し、
前記第２凸部分は、前記第２フック部分が押し当てられる第２凸部分本体と、該第２凸部分本体よりも前記プレート本体部側に形成されると共に前記第１方向に沿って前記第１凸部分側に向かって延びる第２延在部分を有する
ことを特徴とする請求項５に記載の電気光学装置用実装ケース。
【請求項７】
前記フック部は、前記第１方向に沿って並んで配置される第１及び第２フック部分を含み、
前記位置決め手段は、前記第１及び第２フック部分を、前記凸部のうち前記第１方向における前記第１及び第２フック部分の間に対応する位置に形成された第３凸部分に対して夫々押し当てる
ことを特徴とする請求項３に記載の電気光学装置用実装ケース。
【請求項８】
前記第１係合部は、前記位置決め手段の一部として、前記第１方向に沿った弾性力を発揮可能な弾性部を有することを特徴とする請求項１から７のいずれか一項に記載の電気光学装置用実装ケース。
【請求項９】
前記第２係合部は、前記凸部の一部として、前記側部において前記第１方向に交わる第２方向に延びる長さが互いに異なると共に前記第２方向における前記プレート本体部側と異なる側で互いに一端が揃うように配置された２つの凸部分を含み、
前記フック部は、前記２つの凸部分を囲むように設けられ、
前記第１係合部は、前記位置決め手段の一部として、前記２つの凸部分の間に対応する位置に形成され、且つ、前記２つの凸部分のうち前記長さが長い方の凸部分に当接されることにより前記第１方向に沿った弾性力を発揮可能な弾性部を有する
ことを特徴とする請求項３に記載の電気光学装置用実装ケース。
【請求項１０】
前記長い方の凸部分は、前記プレート本体部側に近づくに従って徐々に幅が狭くなる第１テーパ部分を有することを特徴とする請求項９に記載の電気光学装置用実装ケース。
【請求項１１】
前記２つの凸部分のうち少なくとも一方は、前記プレート本体部側に近づくに従って徐々に前記突出する厚さが小さくなる第２テーパ部分を有することを特徴とする請求項９又は１０に記載の電気光学装置用実装ケース。
【請求項１２】
請求項１から１１のいずれか一項に記載の電気光学装置用実装ケースを備えており、該電気光学装置用実装ケースに収容されたことを特徴とする電気光学装置。
【請求項１３】
請求項１２に記載の電気光学装置を具備することを特徴とする電子機器。
【発明の詳細な説明】
【技術分野】
【０００１】
本発明は、例えば液晶プロジェクタのライトバルブとして用いられる液晶パネル等の電気光学装置を実装するための実装ケース、また該実装ケースに当該電気光学装置が実装或いは収容されてなる電気光学装置、及びこのような電気光学装置を備えてなる液晶プロジェクタ等の電子機器の技術分野に関する。
【背景技術】
【０００２】
この種の電気光学装置の一例である液晶パネルは、液晶プロジェクタ等の電子機器におけるライトバルブとして用いられる際には、機器の筐体、ケーシング或いはフレーム等にいわば裸の状態で設置されるのではなく、適当な実装ケースに実装或いは収容した上で設置される。この種の実装ケースは、特許文献１に開示されているように、液晶パネルの一面に対向するように配置されるプレートと、該プレート及び液晶パネルを覆うように配置されるカバーとを備えている。更に、このようなプレート及びカバーは、カバーの側面に設けられた突起部にプレートのフックを引っ掛ける（言い換えれば、カバーの側面に設けられた突起部をプレートのフックに嵌合させる）ことが可能なように構成されている。このように構成された実装ケースに収容された電気光学装置をライトバルブとして用いる場合、例えば電気光学装置に取り付けられたフレキシブル配線基板に外力が加えられた際などに、プレート、カバー及び電気光学装置の相対的な位置関係がずれてしまい、正確な投影表示が困難となってしまうおそれがある。そこで、特許文献２では、実装ケース内における液晶パネルの位置ずれを防止するために、液晶パネルを実装ケースに付勢させる技術が本願出願人により提案されている。
【０００３】
【特許文献１】特開２００４−３２５５７３号公報
【特許文献２】特開２００３−１７２９１６号公報
【発明の開示】
【発明が解決しようとする課題】
【０００４】
しかしながら、上述したようなカバーの側面に設けられた突起部をプレートのフックに嵌合させる構成を有する実装ケースにおいて、このような嵌合を可能とするための製造公差に起因して、カバーとプレートとの相対的な位置関係がずれてしまうおそれがある。このため、典型的にはカバーに接着固定される電気光学装置とプレートとの相対的な位置関係がずれてしまい、正確な投影表示が困難となってしまうおそれがあるという技術的問題点がある。
【０００５】
本発明は、例えば上述した問題点に鑑みなされたものであり、実装ケースと電気光学装置との相対的な位置関係がずれてしまうことを低減でき、より高品質な画像を表示可能な電気光学装置を実装するための電気光学装置用実装ケース、該実装ケースに当該電気光学装置が収容されてなる電気光学装置、及びこのような電気光学装置を備えてなる液晶プロジェクタ等の電子機器を提供することを課題とする。
【課題を解決するための手段】
【０００６】
本発明の電気光学装置用実装ケースは上記課題を解決するために、基板上の画素領域に複数の画素を備えた電気光学装置を収容するための電気光学装置用実装ケースであって、前記電気光学装置の一面に対向するように配置されるプレート本体部、及び該プレート本体部における前記基板の一辺及び該一辺に対向する他辺の各々に対応する位置に設けられた第１係合部を有するプレートと、前記プレート本体部及び前記電気光学装置を覆うように配置されるカバー本体部、及び該カバー本体部に設けられ前記第１係合部に係合可能な第２係合部を有するカバーとを備え、前記第１係合部は、当該第１係合部の少なくとも一部分を、前記一辺に沿った第１方向に沿って前記第２係合部に対して押し当てることにより、前記プレートの前記カバーに対する位置決めを行う位置決め手段を有する。
【０００７】
本発明の電気光学装置用実装ケース（以下、適宜「実装ケース」と略称する）によれば、例えばガラス基板、石英基板等の基板上における複数の画素が配列された画素領域に光源から光が入射される電気光学装置が収容される。このような電気光学装置としては、例えば投射型表示装置におけるライトバルブとして実装される液晶装置或いは液晶パネルが挙げられる。
【０００８】
本発明の実装ケースは、プレートとカバーとを備える。例えば、このような実装ケースが、光を透過する透過型の電気光学装置を収容する場合、プレートのうち電気光学装置に対向するように配置されるプレート本体部には、画素領域に対応した第１開口部が開口され、カバーのうちプレート本体部及び電気光学装置を覆うように配置されるカバー本体部には、画素領域に対応した第２開口部が開口される。これら第１及び第２開口部の存在により、実装ケース外から電気光学装置へと光を入射させることが可能となり、また、電気光学装置から実装ケース外へと光を出射させることが可能となる。尚、電気光学装置は、典型的には、カバーに覆われた状態で、該カバーに例えば接着剤によって接着されることによって固定される。
【０００９】
本発明では、プレート本体部における基板の一辺及び該一辺に対向する他辺の各々に対応する位置に、第１係合部が設けられている。即ち、第１係合部は、電気光学装置の一面（言い換えれば、前記基板の基板面）に対向する側から見て、プレート本体部の両側、例えばプレート本体部の互いに対向する２つの側縁の各々における中央付近、に設けられている。更に、カバー本体部には第１係合部に係合可能な第２係合部が設けられており、カバー及びプレートの相対的な位置関係は、第１係合部と第２係合部との間の係合によって維持される。
【００１０】
本発明では特に、第１係合部は、当該第１係合部の少なくとも一部分を、前記一辺に沿った第１方向に沿って第２係合部に対して押し当てることにより、プレートのカバーに対する位置決めを行う位置決め手段を有している。即ち、例えば、第１係合部は、第１方向に沿った弾性力を発揮可能な弾性部を有しており、該弾性部が第２係合部の一部に当接されることで第１方向に沿った弾性力を発揮し、当該第１係合部の少なくとも一部分を第２係合部の他の一部に押し当てることが可能に構成されている。
【００１１】
よって、第１及び第２係合部を互いに係合可能にするための製造公差に起因して発生し得る、カバーとプレートとの第１方向における相対的な位置関係のずれを殆ど或いは完全に無くすことができる。つまり、第１係合部の位置決め手段によって、カバー及びプレートの第１方向における相対的な位置関係を確実に維持することができる。従って、例えば、カバーに固定された電気光学装置の画素領域に対する、プレート本体部に開口された第１開口部の位置が第１方向に沿ってずれてしまうことを低減或いは防止できる。言い換えれば、電気光学装置の画素領域（及びカバー本体部の第２開口部）とプレート本体部の第１開口部との位置関係を安定させることができる。これにより、実装ケースに収容された電気光学装置が例えば投射型表示装置におけるライトバルブとして実装される場合において、カバー、プレート及び電気光学装置の第１方向における相対的な位置関係がずれてしまうことによって、例えば、カバー或いはプレートによって光を必要以上に遮ってしまうこと、或いは光抜けが発生してしまうことを低減或いは防止できる。この結果、実装ケースに収容された電気光学装置による高品質な画像表示が可能となる。
【００１２】
以上説明したように、本発明の実装ケースによれば、当該実装ケースと電気光学装置との相対的な位置関係がずれてしまうことを低減できる。これにより、当該実装ケースに収容された電気光学装置によって高品質な画像を表示することが可能となる。
【００１３】
本発明の電気光学装置用実装ケースの一態様では、前記プレート本体部は、前記画素領域に対応して開口された第１開口部を有し、前記カバー本体部は、前記画素領域に対応して開口された第２開口部を有する。
【００１４】
この態様によれば、入射する光を透過して表示光として出射する透過型の電気光学装置を収容することができる。更に、位置決め手段によって、第１及び第２開口部の第１方向おける相対的な位置関係を確実に維持することができる。従って、例えば、カバー或いはプレートによって光を必要以上に遮ってしまうこと、或いは光抜けが発生してしまうことを低減或いは防止できる。
【００１５】
本発明の電気光学装置用実装ケースの他の態様では、前記第２係合部は、前記カバー本体部における前記電気光学装置の側縁を取り囲む側部に設けられると共に、該側部の外面側から見て突出する凸部と、前記凸部より前記側部の外面側から見て窪んだ凹部とからなる凹凸部として形成されており、前記第１係合部は、前記凹部の少なくとも一部に嵌合されると共に前記凸部の少なくとも一部に引っ掛けられるフック部を有する。
【００１６】
この態様によれば、フック部を凸部の少なくとも一部に引っ掛けることにより、第１及び第２係合部を容易に互いに係合させることができる。
【００１７】
上述した、第２係合部が凹凸部として形成され第１係合部がフック部を有する態様では、前記位置決め手段は、前記フック部を、前記第１方向における一方の側に向かって、前記凸部の一部分に対して押し当てるように構成してもよい。
【００１８】
この場合には、位置決め手段によって、プレートのカバーに対する位置決めを好適に行うことができる。更に、フック部を、第１方向における一方の側だけに向かって、凸部の一部分に対して押し当てるようにすることで、プレートのカバーに対する位置決めを、比較的簡易な構成で実現することができる。
【００１９】
上述した、第２係合部が凹凸部として形成され第１係合部がフック部を有する態様では、前記フック部は、前記第１方向に沿って並んで配置される第１及び第２フック部分を含み、前記位置決め手段は、前記第１フック部分を、前記第１方向における前記第２フック部分が位置する側とは異なる側に向かって、前記凸部の一部としての第１凸部分に対して押し当てると共に、前記第２フック部分を、前記第１方向における前記第１フック部分が位置する側とは異なる側に向かって、前記凸部分の他の一部としての第２凸部分に対して押し当てるように構成してもよい。
【００２０】
この場合には、位置決め手段によって、プレートのカバーに対する位置決めを好適に行うことができる。
【００２１】
上述した、フック部が第１及び第２フック部分を含む態様では、前記第１凸部分は、前記第１フック部分が押し当てられる第１凸部分本体と、該第１凸部分本体よりも前記プレート本体部側に形成されると共に前記第１方向に沿って前記第２凸部分側に向かって延びる第１延在部分を有し、前記第２凸部分は、前記第２フック部分が押し当てられる第２凸部分本体と、該第２凸部分本体よりも前記プレート本体部側に形成されると共に前記第１方向に沿って前記第１凸部分側に向かって延びる第２延在部分を有するように構成してもよい。
【００２２】
この場合には、第１及び第２延在部分によって、プレートがカバーに対して当該プレート本体部側にずれてしまうことを低減或いは防止できる。即ち、第１係合部と第２係合部とを確実に互いに係合させることができる。よって、プレートとカバーとが互いに外れてしまうことを低減或いは防止できる。
【００２３】
上述した、第２係合部が凹凸部として形成され第１係合部がフック部を有する態様では、前記フック部は、前記第１方向に沿って並んで配置される第１及び第２フック部分を含み、前記位置決め手段は、前記第１及び第２フック部分を、前記凸部のうち前記第１方向における前記第１及び第２フック部分の間に対応する位置に形成された第３凸部分に対して夫々押し当てるように構成してもよい。
【００２４】
この場合には、第３凸部分を、第１及び第２フック部分によって第１方向における両側から挟むことで、第１係合部と第２係合部とを確実に互いに係合させることができる。更に、位置決め手段によって、プレートのカバーに対する位置決めを好適に行うことができる。
【００２５】
本発明の電気光学装置用実装ケースの他の態様では、前記第１係合部は、前記位置決め手段の一部として、前記第１方向に沿った弾性力を発揮可能な弾性部を有する。
【００２６】
この態様によれば、例えばバネ構造を有する弾性部によって、第１係合部の少なくとも一部分を第２係合部に対して確実に押し当てることができる。よって、カバーとプレートとの第１方向における相対的な位置関係を確実に維持することができる。
【００２７】
上述した、第２係合部が凹凸部として形成され第１係合部がフック部を有する態様では、前記第２係合部は、前記凸部の一部として、前記側部において前記第１方向に交わる第２方向に延びる長さが互いに異なると共に前記第２方向における前記プレート本体部側と異なる側で互いに一端が揃うように配置された２つの凸部分を含み、前記フック部は、前記２つの凸部分を囲むように設けられ、前記第１係合部は、前記位置決め手段の一部として、前記２つの凸部分の間に対応する位置に形成され、且つ、前記２つの凸部分のうち前記長さが長い方の凸部分に当接されることにより前記第１方向に沿った弾性力を発揮可能な弾性部を有するように構成してもよい。
【００２８】
この場合には、第２係合部は、側部において第１方向に交わる第２方向（即ち、基板の基板面に交わる方向、或いは、電気光学装置の一面に交わる方向）に延びる長さが互いに異なる２つの凸部分を含む。該２つの凸部分は、第２方向におけるプレート本体部側と異なる側で互いに一端が揃うように配置される。よって、フック部を該２つの凸部分の前記一端に引っ掛けることにより、プレートがカバーに対して当該プレート本体部側にずれてしまうことを確実に低減或いは防止できる。
【００２９】
更に、第１係合部は、第１方向に沿った弾性力を発揮可能な弾性部を有する。該弾性部が、前記２つの凸部分のうち前記長さが長い方の凸部分に当接されることにより、当該弾性部の弾性力が発揮され、当該第１係合部の少なくとも一部分を第２係合部に対して確実に押し当てることができる。
【００３０】
加えて、該弾性部は、前記２つの凸部分の間に対応する位置に形成されるので、当該弾性部と前記２つの凸部とが、前記側部の外面側から見て、互いに重なってしまうことを低減或いは防止できる。よって、当該弾性部が、前記２つの凸部と重なることで前記外面側に向かうように変形してしまうことを低減或いは防止できる。従って、弾性部による弾性力が低減してしまうことを抑制或いは防止できる。
【００３１】
更に加えて、前記弾性部は、前記２つの凸部分のうち前記長さが長い方の凸部分に当接される。言い換えれば、前記２つの凸部分のうち前記弾性部が当接されない方の凸部の前記長さは、前記弾性部が当接される方の凸部の前記長さと比べて短い。よって、第１係合部と第２係合部とを係合させる際に、フック部が、前記弾性部が当接されない方の凸部によって前記外面側に向かうように変形してしまうことを低減できる。更に、このようなフック部の変形に伴って生じ得る、弾性部が前記長い方の凸部分に当接されなくなってしまう事態の発生を低減できる。
【００３２】
上述した、フック部が２つの凸部分を囲むように設けられる態様では、前記長い方の凸部分は、前記プレート本体部側に近づくに従って徐々に幅が狭くなる第１テーパ部分を有するように構成してもよい。
【００３３】
この場合には、弾性部を前記２つの凸部分間にプレート本体部側から挿入することで前記長い方の凸部に容易に当接させることができ、前記第１方向に沿った弾性力を確実に発揮させることができる。
【００３４】
上述した、フック部が２つの凸部分を囲むように設けられる態様では、前記２つの凸部分のうち少なくとも一方は、前記プレート本体部側に近づくに従って徐々に前記突出する厚さが小さくなる第２テーパ部分を有するように構成してもよい。
【００３５】
この場合には、第１係合部と第２係合部とを係合する際に、フック部を、前記２つの凸部分を囲むように容易に配置することができる。即ち、前記２つの凸部分におけるプレート本体部側の厚さによって殆ど妨げられることなく、フック部を前記２つの凸部分を囲むように配置することができる。
【００３６】
本発明の電気光学装置は上記課題を解決するために、上述した本発明の電気光学装置用実装ケースを備えており、該電気光学装置用実装ケースに収容される。
【００３７】
本発明の電気光学装置によれば、上述した電気光学装置用実装ケースを備えるので、当該実装ケースと電気光学装置との相対的な位置関係を確実に維持させつつ、電気光学装置を例えば投射型表示装置等の電子機器内に安定して実装することができる。
【００３８】
本発明の電子機器は、上記課題を解決するために、上述した本発明の電気光学装置を具備する。
【００３９】
本発明の電子機器は、上述した本発明の電気光学装置を具備してなるので、高品質の画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電気光学装置として、例えば電子ペーパなどの電気泳動装置、電子放出装置（Field Emission Display及びConduction Electron-Emitter Display）等を実現し、更にはこれら電気泳動装置、電子放出装置を用いた装置としてDLP（Digital Light Processing）等を実現することも可能である。
【００４０】
本発明の作用及び他の利得は次に説明する実施するための最良の形態から明らかにされる。
【発明を実施するための最良の形態】
【００４１】
以下では、本発明の実施形態について図を参照しつつ説明する。
＜第１実施形態＞
第１実施形態に係る実装ケース、電気光学装置及び電子機器について、図１から図８を参照して説明する。
【００４２】
（電子機器）
先ず、本実施形態に係る電子機器の構成について、図１を参照して説明する。ここでは、電子機器の一例である投射型表示装置を例にとり、その光学ユニットに組み込まれている光学系を中心に説明する。ここに図１は、投射型表示装置の図式的断面図である。本実施形態の投射型表示装置は、実装ケースに収容された電気光学装置の一例たる液晶ライトバルブが３枚用いられてなる複板式カラープロジェクタとして構築されている。
【００４３】
図１において、本実施形態における複板式カラープロジェクタの一例たる、液晶プロジェクタ１１００は、駆動回路がＴＦＴアレイ基板上に搭載された電気光学装置を含む液晶ライトバルブを３個用意し、夫々ＲＧＢ用のライトバルブ１００Ｒ、１００Ｇ及び１００Ｂとして用いたプロジェクタとして構成されている。液晶プロジェクタ１１００では、メタルハライドランプ等の白色光源のランプユニット１１０２から投射光が発せられると、３枚のミラー１１０６及び２枚のダイクロイックミラー１１０８によって、ＲＧＢの３原色に対応する光成分Ｒ、Ｇ及びＢに分けられ、各色に対応するライトバルブ１００Ｒ、１００Ｇ及び１００Ｂに夫々導かれる。この際特にＢ光は、長い光路による光損失を防ぐために、入射レンズ１１２２、リレーレンズ１１２３及び出射レンズ１１２４からなるリレーレンズ系１１２１を介して導かれる。そして、ライトバルブ１００Ｒ、１００Ｇ及び１００Ｂにより夫々変調された３原色に対応する光成分は、ダイクロイックプリズム１１１２により再度合成された後、投射レンズ１１１４を介してスクリーンにカラー画像として投射される。
【００４４】
本実施形態のライトバルブ１００Ｒ、１００Ｇ及び１００Ｂとしては、例えば、後述の如きＴＦＴ（Thin Film Transistor）をスイッチング素子として用いたアクティブマトリクス駆動方式の液晶装置が使用される。また、当該ライトバルブ１００Ｒ、１００Ｇ及び１００Ｂは、後に詳述する実装ケースに収容された電気光学装置として構成されている。
【００４５】
（電気光学装置）
次に、本実施形態に係る電気光学装置の全体構成について、図２及び図３を参照して説明する。ここでは、電気光学装置の一例である駆動回路内蔵型のＴＦＴアクティブマトリクス駆動方式の液晶装置を例にとる。本実施形態に係る電気光学装置は、後述する実装ケースに収容されて、上述した液晶プロジェクタ１１００における液晶ライトバルブ１００Ｒ、１００Ｇ及び１００Ｂとして使用されるものである。ここに図２は、ＴＦＴアレイ基板をその上に形成された各構成要素と共に対向基板の側から見た電気光学装置の平面図であり、図３は、図２のＨ−Ｈ´断面図である。
【００４６】
図２及び図３において、本実施形態に係る電気光学装置では、本発明に係る「基板」の一例としてのＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、複数の画素が配置された画素領域１０ａの周囲に位置するシール領域に設けられたシール材５２により相互に接着されている。
【００４７】
シール材５２が配置されたシール領域の内側に並行して、画素領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４８】
画素領域１０ａの周辺に広がる周辺領域のうち、シール材５２が配置されたシール領域の外側に位置する領域には、データ線駆動回路１０１及び外部回路接続端子１０２がＴＦＴアレイ基板１０の一辺に沿って設けられている。この一辺に沿ったシール領域よりも内側に、サンプリング回路７が額縁遮光膜５３に覆われるようにして設けられている。走査線駆動回路１０４は、この一辺に隣接する２辺に沿い、且つ、前記額縁遮光膜５３に覆われるようにして設けられている。
【００４９】
ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００５０】
ＴＦＴアレイ基板１０上には、外部回接続端子１０２と、データ線駆動回路１０１、走査線駆動回路１０４、上下導通端子１０６等とを電気的に接続するための引回配線９０が形成されている。
【００５１】
図３において、ＴＦＴアレイ基板１０上には、画素スイッチング用のＴＦＴや走査線、データ線等の配線が形成された後の画素電極９ａ上に、図示しない配向膜が形成されている。他方、対向基板２０上には、対向電極２１の他、格子状又はストライプ状の遮光膜２３、更には最上層部分に図示しない配向膜が形成されている。液晶層５０は、例えば一種又は数種類のネマティック液晶を混合した液晶からなり、これら一対の配向膜間で、所定の配向状態をとる。
【００５２】
尚、図２及び図３に示したＴＦＴアレイ基板１０上には、これらのデータ線駆動回路１０１、走査線駆動回路１０４等に加えて、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００５３】
次に、以上の如く構成された電気光学装置における回路構成及び動作について、図４を参照して説明する。ここに図４は、電気光学装置の画素領域を構成するマトリクス状に形成された複数の画素における各種素子、配線等の等価回路図である。
【００５４】
図４において、本実施形態に係る電気光学装置の画素領域１０ａを構成するマトリクス状に形成された複数の画素には夫々、画素電極９ａと当該画素電極９ａに印加される電圧をスイッチング制御するためのＴＦＴ３０とが形成されており、画像信号が供給されるデータ線６ａが当該ＴＦＴ３０のソースに電気的に接続されている。データ線６ａに書き込む画像信号Ｓ１、Ｓ２、…、Ｓｎは、この順に線順次に供給しても構わないし、相隣接する複数のデータ線６ａ同士に対して、グループ毎に供給するようにしてもよい。
【００５５】
ＴＦＴ３０のゲートにゲート電極３ａが電気的に接続されており、所定のタイミングで、走査線１１ａ及びゲート電極３ａにパルス的に走査信号Ｇ１、Ｇ２、…、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、…、Ｓｎを所定のタイミングで書き込む。
【００５６】
画素電極９ａを介して液晶層５０（図３参照）の液晶に書き込まれた所定レベルの画像信号Ｓ１、Ｓ２、…、Ｓｎは、対向基板２０に形成された対向電極２１との間で一定期間保持される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として電気光学装置からは画像信号に応じたコントラストをもつ光が出射する。
【００５７】
ここで保持された画像信号がリークするのを防ぐために、画素電極９ａと対向電極２１（図３参照）との間に形成される液晶容量と並列に蓄積容量７０を付加する。この蓄積容量７０は、走査線１１ａに並んで設けられ、固定電位側容量電極を含むとともに定電位に固定された容量電極３００を含んでいる。
【００５８】
（実装ケース）
本実施形態に係る実装ケースについて、図５から図８を参照して説明する。
【００５９】
先ず、本実施形態に係る実装ケースの全体構成について、図５を参照して説明する。ここに図５は、実装ケースを電気光学装置とともに示す分解斜視図である。
【００６０】
図５に示すように、本実施形態に係る実装ケース８１０には、電気光学装置５００が収容される。尚、図１を参照して上述したライトバルブ１００Ｒ、１００Ｇ及び１００Ｂの各々は、実装ケース８１０内に電気光学装置５００が収容されてなる。
【００６１】
電気光学装置５００は、図２及び図３を参照して上述した形態をしており、外部回路接続端子１０２には、フレキシブルプリント配線板（以下、ＦＰＣと略称する）５０１が接続されている。また、ＴＦＴアレイ基板１０及び対向基板２０の各々における液晶層５０を挟んで対向する面とは反対側の面には、夫々、防塵用基板４００が設けられている。更に、電気光学装置５００の外表面には、反射防止板等の光学部材が付設されている。但し、偏光板や位相差板等は、電気光学装置５００の外表面に付設されてもよいが、液晶プロジェクタ１１００の光学系が備えていてもよい。
【００６２】
図５に示すように、実装ケース８１０は、プレート６１０とカバー７１０とを備えている。
【００６３】
プレート６１０及びカバー７１０（より正確には、後述するプレート本体部６１１及びカバー本体部７１１）には、それぞれ、電気光学装置５００の画素領域１０ａ（図２参照）を露出させるように窓部６１５及び７１５が形成されている。尚、窓部６１５は、本発明に係る「第１開口部」の一例であり、窓部６２５は、本発明に係る「第２開口部」の一例である。これら窓部６１５及び７１５の存在により、実装ケース８１０外から電気光学装置５００へと光を入射させることが可能となり、また、該電気光学装置５００から実装ケース８１０外へと光を出射させること可能となる。言い換えれば、実装ケース８１０内に収容された状態で、電気光学装置５００における画素領域１０ａの周辺に位置する周辺領域は、プレート６１０及びカバー７１０によって覆われている。このため、プレート６１０及びカバー７１０は、当該周辺領域における光抜けを防止したり或いは周辺領域から画素領域１０ａ内に迷光が進入するのを防止する遮光機能を有している。尚、本実施形態においては、カバー７１０の側から光が入射し、電気光学装置５００を透過して、プレート６１０の側から出射するということを前提とする。つまり、図１でいえば、ダイクロイックプリズム１１１２に対向するのは、カバー７１０ではなくて、プレート６１０ということになる。ただし、これとは反対に、プレート６１０から光が入射し、カバー７１０から抜けるという態様を採用してもよい。
【００６４】
カバー７１０は、電気光学装置５００を収容するための内部空間を形成するカバー本体部７１１を有している。電気光学装置５００は、カバー本体部７１１の内部空間に入れられた状態で、該カバー本体部７１１に接着剤によって接着されることによって固定されて、該カバー本体部７１１内に収容される。
【００６５】
プレート６１０は、カバー本体部７１１の内部空間に入れられた電気光学装置５００の周辺領域を、裏側から固定するために、この周辺領域に対向する平面形状を持つ板状のプレート本体部６１１を有している。更に、プレート６１０は、そのプレート本体部６１１をカバー７１０に固定するため係合部６１２を正面両側に有している。一方、カバー７１０は、そのカバー本体部７１１の正面両側の側面に、係合部６１２に係合する係合部７１２を有している。プレート６１０及びカバー７１０は、このような係合部６１２及び６２７間の係合によって組み付けられる。これにより、実装ケース８１０の構造はより堅固なもの（即ち、プレート６１０とカバー７１０とが簡単にはバラバラにはならない。）となる。尚、係合部６１２及び７１２の構成については、後に更に詳細に説明する。
【００６６】
以上のように、電気光学装置５００は、カバー７１０の内部空間に収容され、係合部６１２及び７１２間の係合により、プレート６１０がカバー７１０に固定されることで、実装ケース８１０に実装される。
【００６７】
図５において、カバー本体部７１１の４隅には、取り付け穴７１９が設けられている。取り付け穴７１９は、電気光学装置５００を、実装ケース８１０に収容した状態で、図１を参照して上述した液晶プロジェクタ１１００内に取り付けする際に利用される。
【００６８】
次に、本実施形態に係る実装ケースの係合部の構成について、図５に加えて図６から図８を参照して詳細に説明する。ここに図６は、電気光学装置を収容した状態における、図５の矢印Ｘの方向から見た、実装ケースの側面図である。図７は、図６の破線Ｌ１で囲む部分を拡大して示す拡大図である。図８は、図７のＡ−Ａ´断面図である。
【００６９】
図５及び図６において、カバー７１０は、アルミニウム等の金属、或いは樹脂等からなり、そのカバー本体部７１１における側面に係合部７１２を備えている。より詳細には、係合部７１２は、カバー本体部７１１における側面側に位置する側部（即ち、カバー本体部７１１のうち電気光学装置５００の側縁に沿った側部）に図６のＺ方向（即ち、実装ケース８１０の正面に交わる方向）に沿って掘られた溝部３５０と、該溝部３５０を規定する凸部３１１ａ及び３１１ｂと、溝部３５０内において該側部の外面側に突出する爪部３２０及び３３０とから構成されている。尚、凸部３１１ａ及び３１１ｂ並びに爪部３２０及び３３０は、本発明に係る「凸部」の一例を構成し、溝部３５０は、本発明に係る「凹部」の一例を形成する
プレート６１０は、弾性の高い金属、或いは樹脂等の弾性部材からなり、そのプレート本体部６１１からカバー７１０が配置される方向（即ち、図６のＺ方向）に向かって突き出るように形成された係合部６１２を備えている。
【００７０】
係合部６１２は、フック部２１０を備えている。フック部２１０は、カバー本体部７１１における側部の外面側から見て（即ち、図５における矢印Ｘの方向から見て）、爪部３２０及び３３０を囲むことが可能に設けられている。フック部２１０が溝部３５０に嵌合されると共に爪部２１０及び２２０に引っ掛けられることによって、係合部６１２と係合部７１２とが係合される。尚、このように係合される際には、フック部２１０は、Ｚ方向に延びる溝部３５０の底面に沿って挿入される。また、フック部２１０は、当該実装ケース８１０の正面両側に設けられており（図５参照）、上述した係合時には、カバー本体部７１１を正面両側から挟むように配置されることになる。
【００７１】
図７において、本実施形態では特に、係合部６１２は、本発明に係る「第１方向」の一例としてのＹ方向に沿った弾性力を発揮可能なバネ部２２０を備えている。尚、バネ部２２０は、本発明に係る「弾性部」の一例であり、フック部分２１１、凸部３１１ａ及び爪部３３０と共に、本発明に係る「位置決め手段」の一例を構成する。バネ部２２０は、弾性部材からなるプレート本体部６１１と一体的に形成されている。係合部６１２と係合部７１２（図６参照）とが互いに係合される際、バネ部２２０が爪部３３０に当接されることでＹ方向に沿った弾性力を発揮し、フック部２１０の一部分であるフック部分２１１が凸部３１１ａに押し当てられるように構成されている。よって、フック部２１０のカバー本体部７１１に対するＹ方向における位置を、凸部３１１ａの縁Ｐ１（言い換えれば、溝部３５０の縁）を基準として安定させることができる。即ち、係合部６１２と係合部７１２と（より具体的には、フック部２１０と溝部３５０、爪部３２０及び３３０と）を互いに係合可能にするための製造公差に起因して発生し得る、カバー７１０とプレート６１０とのＹ方向における相対的な位置関係のずれを殆ど無くすことができる。つまり、フック部２１０を溝部３５０に嵌合させつつ爪部３２０及び３３０に引っ掛けた際のガタツキを殆ど無くすことができる。従って、例えば、カバー７１０に固定された電気光学装置５００の画素領域１０ａに対する、プレート６１０に開口された窓部６１５の位置がＹ方向に沿ってずれてしまうことを低減できる。言い換えれば、電気光学装置５００の画素領域１０ａ（及びカバー７１０の窓部６２５）とプレート６１０の窓部６１５との位置関係を安定させることができる。これにより、実装ケース８１０に収容された電気光学装置５００が、例えば図１を参照して上述した液晶プロジェクタ１１００におけるライトバルブ１００Ｒ、１００Ｇ及び１００Ｂとして実装される場合などにおいて、カバー７１０、プレート６１０及び電気光学装置５００のＹ方向における相対的な位置関係がずれてしまうことによって、例えば、カバー７１０或いはプレート６１０によって光を必要以上に遮ってしまうこと、或いは光抜けが発生してしまうことを低減できる。この結果、実装ケースに収容された電気光学装置５００によって、高品質な画像を表示することができる。
【００７２】
更に、図６及び図７において、本実施形態では特に、爪部３２０及び３３０は、側面においてＹ方向に交わる本発明に係る「第２方向」の一例としてのＺ方向に延びるように形成されており、該Ｚ方向に延びる長さが互いに異なる。更に、爪部３２０及び３３０は、Ｚ方向におけるプレート本体部６１１側と異なる側で互いに一端が揃うように配置されている。よって、フック部２１０を爪部３２０及び３３０の該一端に引っ掛けることにより、プレート６１０がカバー７１０に対して当該プレート本体部６１１側にずれてしまうことを確実に低減できる。
【００７３】
加えて、図６及び図７において、本実施形態では特に、バネ部２２０は、爪部３２０及び３３０のうちＺ方向に沿った長さが長い方の爪部３３０に当接される。言い換えれば、爪部３２０及び３３０のうちバネ部２２０が当接されない方の爪部３２０のＺ方向に沿った長さは、バネ部２２０が当接される方の爪部３３０のＺ方向に沿った長さと比べて短い。よって、係合部６１２と係合部７１２とを係合させるために、フック部２１０をＺ方向に延びる溝部３５０の底面に沿って挿入する際に、フック部２１０が、バネ部２２０が当接されない方の爪部３３０によって外面側（即ち、カバー本体部６１１の側面から遠ざかる側）に向かうように変形してしまうことを低減できる。更に、このようなフック部２１０の変形に伴ってバネ部２２０も外面側に変形してしまい、例えばバネ部２２０が爪部３３０に乗り上げてしまって、バネ部２２０が爪部３３０に当接されなくなってしまう事態の発生を低減できる。
【００７４】
また、本実施形態では特に、バネ部２２０は、爪部３２０と爪部３３０との間に対応する位置に形成されるので、当該バネ部２２０と爪部３２０又は３３０とが、側面において互いに重なってしまうことを低減できる。よって、当該バネ部２２０が前記爪部３２０又は３３０と重なることで、当該バネ部２２０が外面側に向かうように変形してしまうことを低減できる。従って、バネ部２２０による弾性力が低減してしまうことを抑制できる。
【００７５】
更に、図７に示すように、本実施形態では特に、爪部３３０は、ほぼ一定の幅でＺ方向に延びる支持部分３３２と該支持部分３３２からプレート本体部６１１側に延在するテーパ部分３３１とを有している。テーパ部分３３１は、プレート本体部６１１側に近づくに従って徐々に幅Ｗ１が狭くなるように形成されている。よって、バネ部２２０をテーパ部分３３１に沿ってプレート本体部６１１側から容易に挿入することができると共に、支持部分３３２によってバネ部２２０によるＹ方向に沿った弾性力を確実に発揮させることができる。尚、支持部分３３０は、フック部２１０がＺ方向に沿ってプレート本体部６１１側にずれないように支える機能も有している。
【００７６】
加えて、図７及び図８に示すように、本実施形態では特に、テーパ部分３３１は、プレート本体部６１１側に近づくに従って徐々に厚さＴ１が小さくなるように形成されている。また、爪部３２０は、ほぼ一定の幅でＺ方向に延びる支持部分３２２と該支持部分３２２からプレート本体部６１１側に延在するテーパ部分３２１とを有している。テーパ部分３２１は、テーパ部分３３１と概ね同様に、プレート本体部６１１側に近づくに従って徐々に厚さが小さくなるように形成されている。よって、係合部６１２と係合部７１２とを係合する際に、フック部２１０を、爪部３２０及び３３０を囲むように容易に配置することができる。即ち、フック部２１０をテーパ部３２１及び３３１の表面に沿ってプレート本体部６１１側から容易に挿入することができる。つまり、テーパ部３２１及び３３１におけるプレート本体部６１１側の厚さによって、フック部２１０の挿入が妨げられてしまうのを低減できる。
【００７７】
以上説明したように、本実施形態に係る実装ケース８１０によれば、当該実装ケース８１０と電気光学装置５００との相対的な位置関係がずれてしまうことを低減できる。これにより、当該実装ケース８１０に収容された電気光学装置５００によって高品質な画像を表示することが可能となる。
【００７８】
尚、本実施形態では、プレート６１０にバネ部２２０が設けられているが、仮にプレート６１０にバネ部２２０が設けられない場合と比較して、実装ケースを製造する製造プロセスの複雑化を殆ど或いは全く招かない。このため、実装ケースを製造するための製造コストの増加も殆ど招かない。更に、実装ケース内に電気光学装置を収容するプロセスにおいても、仮にプレート６１０にバネ部２２０が設けられない場合と比較して、工程数の増加を殆ど招かない。
＜第２実施形態＞
第２実施形態に係る実装ケースについて、図９を参照して説明する。ここに図９は、第２実施形態における図６と同趣旨の側面図である。尚、図９において、図１から図８に示した第１実施形態に係る構成要素と同様の構成要素に同一の参照符合を付し、それらの説明は適宜省略する。
【００７９】
図９において、第２実施形態に係る実装ケース８２０は、プレート６２０とカバー７２０とを備えている。
【００８０】
プレート６２０は、上述した第１実施形態における係合部６１２に代えて、係合部６２２を備える点で、上述した第１実施形態に係るプレート６１０と異なり、その他の点については、上述した第１実施形態に係るプレート６１０と概ね同様に構成されている。
【００８１】
カバー７２０は、上述した第１実施形態における係合部７１２に代えて、係合部７２２を備える点で、上述した第１実施形態に係るカバー７１０と異なり、その他の点については、上述した第１実施形態に係るプレート７１０と概ね同様に構成されている。
【００８２】
図９において、カバー７２０は、そのカバー本体部７１１における側面に係合部７２２を備えている。より詳細には、係合部７２２は、カバー本体部７１１における側面側に位置する側部にＺ方向（即ち、実装ケース８１０の正面に交わる方向）に沿って掘られた溝部３５２と、該溝部３５２を規定する凸部３１２ａ及び３１２ｂと、溝部３５２内において該側部の外面側に突出する爪部３３２とから構成されている。
【００８３】
プレート６１０は、そのプレート本体部６１１からカバー７２０が配置される方向（即ち、Ｚ方向）に向かって突き出るように形成された係合部６２２を備えている。
【００８４】
係合部６２２は、フック部２１２を備えている。フック部２１２は、カバー本体部７１１における側部の外面側から見て、爪部３３２を囲むことが可能に設けられている。フック部２１２が溝部３５２に嵌合されると共に爪部３３２に引っ掛けられることによって係合部６２２と係合部７２２とが係合される。
【００８５】
図９において、本実施形態では特に、係合部６２２は、Ｙ方向に沿った弾性力を発揮可能なバネ部２２２を備えている。バネ部２２２は、弾性部材からなるプレート本体部６１１と一体的に形成されている。係合部６２２と係合部７２２とが互いに係合される際、バネ部２２２が凸部３１２ａに当接されることでＹ方向に沿った弾性力を発揮し、フック部２１２の一部分であるフック部分２１２ｂが凸部３１２ｂに押し当てられるように構成されている。よって、フック部２１２のカバー本体部７１１に対するＹ方向における位置を、凸部３１２ｂの縁Ｐ２を基準として安定させることができる。即ち、係合部６２２と係合部７２２と（より具体的には、フック部２１２と溝部３５２及び爪部３３２と）を互いに係合可能にするための製造公差に起因して発生し得る、カバー７２０とプレート６２０とのＹ方向における相対的な位置関係のずれを殆ど無くすことができる。
【００８６】
尚、本実施形態では、爪部３３２は、ほぼ一定の厚さを有しフック部２１２を支える機能を有する支持部分３３２ｂと、プレート本体部６１１側に近づくに従って徐々に厚さが小さくなるように形成されたテーパ部分３３２ａとからなる。テーパ部分３３２ａによって、フック部２１２をプレート本体部６１１側から容易に挿入することができる。
＜第３実施形態＞
第３実施形態に係る実装ケースについて、図１０を参照して説明する。ここに図１０は、第３実施形態における図６と同趣旨の側面図である。尚、図１０において、図９に示した第２実施形態に係る構成要素と同様の構成要素に同一の参照符合を付し、それらの説明は適宜省略する。
【００８７】
図１０おいて、第３実施形態に係る実装ケース８３０は、上述した第２実施形態におけるプレート６２０に代えて、プレート６３０を備える点で、上述した第２実施形態に係る実装ケース８２０と異なり、その他の点については、上述した第２実施形態に係る実装ケース８２０と概ね同様に構成されている。
【００８８】
プレート６３０は、上述した第２実施形態における係合部６２２に代えて、係合部６３２を備える点で、上述した第２実施形態に係るプレート６２０と異なり、その他の点については、上述した第２実施形態に係るプレート６２０と概ね同様に構成されている。
【００８９】
係合部６３２は、上述した第２実施形態におけるバネ部２２２に代えて、バネ部２２３を備える点で、上述した第２実施形態に係る係合部６２２と異なり、その他の点については、上述した第２実施形態に係る係合部６２２と概ね同様に構成されている。
【００９０】
バネ部２２３は、図９を参照して上述した第２実施形態におけるバネ部２２２を、Ｙ方向を軸として反転させたような形状を有するように形成されている。つまり、上述した第２実施形態におけるバネ部２２２は、プレート本体部６１１からＺ方向に延びるように形成されているのに対して、バネ部２２３は、フック部２１２におけるプレート本体部６１１から見て遠い側から該プレート本体部６１１に向かって延びるように形成されている。
【００９１】
この場合にも、係合部６３２と係合部７２２とが互いに係合される際、バネ部２２３が凸部３１２ａに当接されることでＹ方向に沿った弾性力を発揮し、フック部２１２の一部分であるフック部分２１２ｂが凸部３１２ｂに押し当てられるように構成することができる。よって、フック部２１２のカバー本体部７１１に対するＹ方向における位置を、凸部３１２ｂの縁Ｐ２を基準として安定させることができる。
＜第４実施形態＞
第４実施形態に係る実装ケースについて、図１１を参照して説明する。ここに図１１は、第４実施形態における図６と同趣旨の側面図である。尚、図１１において、図１から図８に示した第１実施形態に係る構成要素と同様の構成要素に同一の参照符合を付し、それらの説明は適宜省略する。
【００９２】
図１１において、第４実施形態に係る実装ケース８４０は、プレート６４０とカバー７４０とを備えている。
【００９３】
プレート６４０は、上述した第１実施形態における係合部６１２に代えて、係合部６４２を備える点で、上述した第１実施形態に係るプレート６１０と異なり、その他の点については、上述した第１実施形態に係るプレート６１０と概ね同様に構成されている。
【００９４】
カバー７４０は、上述した第１実施形態における係合部７１２に代えて、係合部７４２を備える点で、上述した第１実施形態に係るカバー７１０と異なり、その他の点については、上述した第１実施形態に係るプレート７１０と概ね同様に構成されている。
【００９５】
図１１において、カバー７４０は、そのカバー本体部７１１における側面に係合部７４２を備えている。より詳細には、係合部７４２は、カバー本体部７１１における側面側に位置する側部にＺ方向（即ち、実装ケース８１０の正面に交わる方向）に沿って掘られた溝部３５４と、該溝部３５４を規定する凸部３１４ａ及び３１４ｂとから構成されている。
【００９６】
プレート６４０は、そのプレート本体部６１１からカバー７４０が配置される方向（即ち、Ｚ方向）に向かって突き出るように形成された係合部６４２を備えている。
【００９７】
係合部６４２は、２つのフック部２２４ａ及び２２４ｂを備えている。フック部２２４ａ及び２２４ｂはそれぞれ、プレート本体部６１１から、溝部３５４の両縁に沿うように設けられている。
【００９８】
図１１において、本実施形態では特に、２つのフック部２２４ａ及び２２４ｂはそれぞれ、Ｙ方向に沿った弾性力を発揮可能に構成されている。フック部２２４ａ及び２２４ｂは、弾性部材からなるプレート本体部６１１と一体的に形成されている。係合部６４２と係合部７４２とが互いに係合される際、フック部２２４ａ及び２２４ｂがそれぞれ凸部３１４ａ及び３１４ｂに当接されることでＹ方向に沿った弾性力をそれぞれ発揮し、フック部２２４ａ及び２２４ｂにおける前記当接された部分がそれぞれ凸部３１４ａ及び３１４ｂに押し当てられるように構成されている。つまり、フック部２２４ａ及び２２４ｂがＹ方向に沿って互いに反対側に向かう弾性力を発揮可能に構成されており、当該フック部２２４ａ及び２２４ｂが凸部３１４ａ及び３１４ｂの縁Ｐ４ａ及びＰ４ｂ（即ち、溝部３５４の両縁）に概ね均等に押し当てられるように構成されている。
【００９９】
よって、係合部６４２のカバー本体部７１１に対するＹ方向における位置を、縁Ｐ４ａ及びＰ４ｂを基準として安定させることができる。従って、カバー７４０とプレート６４０とのＹ方向における相対的な位置関係のずれを殆ど無くすことができる。
＜第５実施形態＞
第５実施形態に係る実装ケースについて、図１２を参照して説明する。ここに図１２は、第５実施形態における図６と同趣旨の側面図である。尚、図１２において、図１から図８に示した第１実施形態に係る構成要素と同様の構成要素に同一の参照符合を付し、それらの説明は適宜省略する。
【０１００】
図１２において、第５実施形態に係る実装ケース８５０は、プレート６５０とカバー７５０とを備えている。
【０１０１】
プレート６５０は、上述した第１実施形態における係合部６１２に代えて、係合部６５２を備える点で、上述した第１実施形態に係るプレート６１０と異なり、その他の点については、上述した第１実施形態に係るプレート６１０と概ね同様に構成されている。
【０１０２】
カバー７５０は、上述した第１実施形態における係合部７１２に代えて、係合部７５２を備える点で、上述した第１実施形態に係るカバー７１０と異なり、その他の点については、上述した第１実施形態に係るプレート７１０と概ね同様に構成されている。
【０１０３】
図１２において、カバー７５０は、そのカバー本体部７１１における側面に係合部７５２を備えている。より詳細には、係合部７５２は、カバー本体部７１１における側面側に位置する側部にＺ方向（即ち、実装ケース８１０の正面に交わる方向）に沿って掘られた溝部３５５と、該溝部３５５を規定する凸部３１５ａ及び３１５ｂと、凸部３１５ａ及び３１５ｂから溝部３５５内に向かってそれぞれ延びる爪部３３５ａ及び３３５ｂとから構成されている。尚、凸部３１５ａ及び３１５ｂの各々は、本発明に係る「第１凸部分」及び「第２凸部分」の一例であり、爪部３３５ａ及び３３５ｂの各々は、本発明に係る「第１延在部分」及び「第２延在部分」の一例である。
【０１０４】
プレート６１０は、そのプレート本体部６１１からカバー７２０が配置される方向（即ち、Ｚ方向）に向かって突き出るように形成された係合部６５２を備えている。
【０１０５】
係合部６５２は、２つのフック部２２５ａ及び２２５ｂと、該２つのフック部２２５ａ及び２２５ｂの間に設けられた支持部２５５とを備えている。フック部２２５ａ及び２２５ｂはそれぞれ、Ｚ方向に沿ってプレート本体部６１１から遠ざかるように延び、更に溝部３５５内の途中で折り返され溝部３５５の両縁に沿いながらプレート本体部６１１に近づくよう延びている。支持部２５５によって、カバー７１０を正面両側から確実に支持することが可能となり、係合部６５２と係合部７５２とを互いに確実に係合させることができる。
【０１０６】
図１２において、本実施形態では特に、２つのフック部２２５ａ及び２２５ｂはそれぞれ、Ｙ方向に沿った弾性力を発揮可能に構成されている。フック部２２５ａ及び２２５ｂは、弾性部材からなるプレート本体部６１１と一体的に形成されている。係合部６５２と係合部７５２とが互いに係合される際、フック部２２５ａ及び２２５ｂがそれぞれ凸部３１５ａ及び３１５ｂに当接されることでＹ方向に沿った弾性力をそれぞれ発揮し、フック部２２５ａ及び２２５ｂにおける前記当接された部分がそれぞれ凸部３１５ａ及び３１５ｂに押し当てられるように構成されている。つまり、フック部２２５ａ及び２２５ｂがＹ方向に沿って互いに反対側に向かう弾性力を発揮可能に構成されており、当該フック部２２５ａ及び２２５ｂが凸部３１５ａ及び３１５ｂの縁Ｐ５ａ及びＰ５ｂ（即ち、溝部３５５の両縁）に概ね均等に押し当てられるように構成されている。
【０１０７】
よって、係合部６５２のカバー本体部７１１に対するＹ方向における位置を、縁Ｐ５ａ及びＰ５ｂを基準として安定させることができる。従って、カバー７５０とプレート６５０とのＹ方向における相対的な位置関係のずれを殆ど無くすことができる。
【０１０８】
更に、本実施形態では特に、上述したように、係合部７５２は、凸部３１５ａ及び３１５ｂから溝部３５５内に向かってそれぞれ延びる爪部３３５ａ及び３３５ｂを備えている。よって、プレート６５０がカバー７５０に対して当該プレート本体部６１１側にずれてしまうことを確実に低減できる。即ち、係合部６５２と係合部７５２とを確実に互いに係合させることができる。従って、プレート６５０とカバー７５０とが互いに外れてしまうことを確実に低減できる。
＜第６実施形態＞
第６実施形態に係る実装ケースについて、図１３を参照して説明する。ここに図１３は、第６実施形態における図６と同趣旨の側面図である。尚、図１３において、図１から図８に示した第１実施形態に係る構成要素と同様の構成要素に同一の参照符合を付し、それらの説明は適宜省略する。
【０１０９】
図１３において、第６実施形態に係る実装ケース８６０は、プレート６６０とカバー７６０とを備えている。
【０１１０】
プレート６６０は、上述した第１実施形態における係合部６１２に代えて、係合部６６２を備える点で、上述した第１実施形態に係るプレート６１０と異なり、その他の点については、上述した第１実施形態に係るプレート６１０と概ね同様に構成されている。
【０１１１】
カバー７６０は、上述した第１実施形態における係合部７１２に代えて、係合部７６２を備える点で、上述した第１実施形態に係るカバー７１０と異なり、その他の点については、上述した第１実施形態に係るプレート７１０と概ね同様に構成されている。
【０１１２】
図１３において、カバー７６０は、そのカバー本体部７１１における側面に係合部７６２を備えている。より詳細には、係合部７６２は、カバー本体部７１１における側面側に位置する側部にＺ方向（即ち、実装ケース８１０の正面に交わる方向）に沿ってそれぞれ掘られた２つの溝部３５６ａ及び３５６ｂと、該溝部３５６ａ及び３５６ｂを規定する凸部３１６ａ３１６ｂ及び３１６ｃ（凸部３１６ｃは、凸部３１６ａ及び３１６間に位置し、溝部３５６ａは、凸部３１６ａ及び３１６ｃによって規定され、溝部３５６ｂは、凸部３１６ｂ及び３１６ｃによって規定されている。）と、凸部３１６ｃから溝部３５６ａ及び３５６ｂ内に向かってそれぞれ延びる爪部３３６ａ及び３３６ｂとから構成されている。
【０１１３】
プレート６６０は、そのプレート本体部６１１からカバー７６０が配置される方向（即ち、Ｚ方向）に向かって突き出るように形成された係合部６６２を備えている。
【０１１４】
係合部６６２は、２つのフック部２２６ａ及び２２６ｂを備えている。フック部２２６ａは、溝部３５６ａ内でＺ方向に沿ってプレート本体部６１１から遠ざかるように延び、更に溝部３５６ａ内の途中で折り返され凸部３１６ｃの縁Ｐ６ａに沿いながらプレート本体部６１１に近づくよう延びている。
【０１１５】
図１３において、本実施形態では特に、２つのフック部２２６ａ及び２２６ｂはそれぞれ、Ｙ方向に沿った弾性力を発揮可能に構成されている。フック部２２６ａ及び２２６ｂは、弾性部材からなるプレート本体部６１１と一体的に形成されている。係合部６６２と係合部７６２とが互いに係合される際、フック部２２６ａ及び２２６ｂが凸部３１６ｃの両側から該凸部３１６ｃにそれぞれ押し当てられるように構成されている。つまり、フック部２２６ａ及び２２６ｂはＹ方向に沿って互いに反対側に向かう弾性力を発揮可能に構成されており、当該フック部２２６ａ及び２２６ｂが、凸部３１６ｃを挟むように、両縁Ｐ６ａ及びＰ６ｂに概ね均等に押し当てられるように構成されている。
【０１１６】
よって、係合部６６２のカバー本体部７１１に対するＹ方向における位置を、縁Ｐ６ａ及びＰ６ｂを基準として（言い換えれば、凸部３１６ｃを基準として）安定させることができる。従って、カバー７６０とプレート６６０とのＹ方向における相対的な位置関係のずれを殆ど無くすことができる。
【０１１７】
更に、本実施形態では特に、上述したように、凸部３１６ｃから溝部３５６ａ及び３５６ｂ内に向かってそれぞれ延びる爪部３３６ａ及び３３６ｂを備えている。よって、プレート６６０がカバー７６０に対して当該プレート本体部６１１側にずれてしまうことを確実に低減できる。即ち、係合部６６２と係合部７６２とを確実に互いに係合させることができる。従って、プレート６６０とカバー７６０とが互いに外れてしまうことを確実に低減できる。
【０１１８】
本発明は、上述した実施形態に限られるものではなく、請求の範囲及び明細書全体から読み取れる発明の要旨或いは思想に反しない範囲で適宜変更可能であり、そのような変更を伴う電気光学装置用実装ケース、該実装ケースに収容されてなる電気光学装置、及びこのような電気光学装置を備えてなる電子機器もまた本発明の技術的範囲に含まれるものである。
【図面の簡単な説明】
【０１１９】
【図１】第１実施形態に係る電子機器の図式的断面図である。
【図２】第１実施形態に係る電気光学装置（実装ケースに収容されていない状態）の構成を示す平面図である。
【図３】図２のＨ−Ｈ´断面図である。
【図４】第１実施形態に係る電気光学装置の複数の画素の等価回路図である。
【図５】第１実施形態に係る実装ケースを電気光学装置とともに示す分解斜視図である。
【図６】第１実施形態に係る実装ケースの側面図である。
【図７】図６の破線Ｌ１で囲む部分の拡大図である。
【図８】図７のＡ−Ａ´断面図である。
【図９】第２実施形態における図６と同趣旨の側面図である。
【図１０】第３実施形態における図６と同趣旨の側面図である。
【図１１】第４実施形態における図６と同趣旨の側面図である。
【図１２】第５実施形態における図６と同趣旨の側面図である。
【図１３】第６実施形態における図６と同趣旨の側面図である。
【符号の説明】
【０１２０】
６ａ…データ線、９ａ…画素電極、１０…ＴＦＴアレイ基板、１０ａ…画像表示領域、１１ａ…走査線、２０…対向基板、２１…対向電極、５０…液晶層、１０１…データ線駆動回路、１０２…外部回路接続端子、１０４…走査線駆動回路、２２０…バネ部、３２０、３３０…爪部、３５０…溝部、３１１ａ、３１１ｂ…凸部、５００…液晶装置、６１０…プレート、６１１…プレート本体部、６１２…係合部、６１５…窓部、７１１…カバー本体部、７１２…係合部、７１５…窓部、８１０…実装ケース
【図１】
2008122822.tif 000003
【図２】
2008122822.tif 000004
【図３】
2008122822.tif 000005
【図４】
2008122822.tif 000006
【図５】
2008122822.tif 000007
【図６】
2008122822.tif 000008
【図７】
2008122822.tif 000009
【図８】
2008122822.tif 000010
【図９】
2008122822.tif 000011
【図１０】
2008122822.tif 000012
【図１１】
2008122822.tif 000013
【図１２】
2008122822.tif 000014
【図１３】
2008122822.tif 000015